【手続補正書】
【提出日】平成22年7月20日(2010.7.20)
【手続補正１】
【補正対象書類名】特許請求の範囲
【補正対象項目名】全文
【補正方法】変更
【補正の内容】
【特許請求の範囲】
【請求項１】
差動増幅部を含む演算増幅回路であって、
前記差動増幅部は、
第１差動対を形成する第１差動トランジスタ及び第２差動トランジスタと、
前記第１差動対に電流を供給する電流源トランジスタとを含み、
前記演算増幅回路は、さらに、
前記第１差動トランジスタ及び前記第２差動トランジスタの少なくとも一方のソースと、前記電流源トランジスタのドレインとの間に接続された第１可変抵抗素子を備え、
前記第１可変抵抗素子は、
第１端子及び第２端子と、
直列に接続された複数の第１抵抗素子と、
前記第１端子と前記第２端子との間に接続される前記直列に接続された複数の第１抵抗素子の段数を変更することにより、前記第１端子と前記第２端子との間の抵抗値を変更する第１補正電圧選択回路とを備える
演算増幅回路。
【請求項２】
前記第１可変抵抗素子は、前記第１差動トランジスタのソースと、前記電流源トランジスタのドレインとの間に接続され、
前記演算増幅回路は、さらに、
前記第２差動トランジスタのソースと、前記電流源トランジスタのドレインとの間に接続された第２可変抵抗素子を備え、
前記第２可変抵抗素子は、
第３端子及び第４端子と、
直列に接続された複数の第２抵抗素子と、
前記第３端子と前記第４端子との間に接続される前記直列に接続された複数の第２抵抗素子の段数を変更することにより、前記第３端子と前記第４端子との間の抵抗値を変更する第２補正電圧選択回路とを備える
請求項１記載の演算増幅回路。
【請求項３】
前記演算増幅回路は、さらに、
前記第１可変抵抗素子を、前記第１差動トランジスタのソースと、前記電流源トランジスタのドレインとの間に接続するとともに、当該第１可変抵抗素子を、前記第２差動トランジスタのソースと、前記電流源トランジスタのドレインとの間に接続しない第１のモードと、前記第１可変抵抗素子を、前記第２差動トランジスタのソースと、前記電流源トランジスタのドレインとの間に接続するとともに、当該第１可変抵抗素子を、前記第１差動トランジスタのソースと、前記電流源トランジスタのドレインとの間に接続しない第２のモードとを切り替える補正極性切換え回路を備える
請求項１記載の演算増幅回路。
【請求項４】
前記演算増幅回路は、さらに、
前記第１差動トランジスタ及び前記第２差動トランジスタの少なくとも一方のソースに、複数の電流値のうちいずれかの電流値の電流を選択的に供給する可変電流源を備える
請求項１〜３のいずれか１項に記載の演算増幅回路。
【請求項５】
前記演算増幅回路は、さらに、
前記電流源トランジスタのゲートに、複数の電圧値のうちいずれかの電圧値の電圧を選択的に出力する電圧可変回路を備える
請求項１〜４のいずれか１項に記載の演算増幅回路。
【請求項６】
前記第１補正電圧選択回路は、
前記複数の第１抵抗素子の各々に対応して設けられ、対応する前記第１抵抗素子の両端を短絡又は開放する複数の第１スイッチを備える
請求項１〜５のいずれか１項に記載の演算増幅回路。
【請求項７】
前記複数の第１抵抗素子は、それぞれ抵抗値が異なる
請求項６記載の演算増幅回路。
【請求項８】
前記第１補正電圧選択回路は、
前記複数の第１抵抗素子の直列接続の両端及び接続点にそれぞれ一端が接続され、前記第１端子及び前記第２端子の一方に他端が接続された複数の第１スイッチを備える
請求項１〜５のいずれか１項に記載の演算増幅回路。
【請求項９】
前記第１抵抗素子の抵抗値の温度依存性は、前記第１スイッチの抵抗値の温度依存性の逆方向の特性である
請求項６〜８のいずれか１項に記載の演算増幅回路。
【請求項１０】
前記第１差動トランジスタ及び前記第２差動トランジスタは、Ｎチャネル型ＭＯＳトランジスタである
請求項１〜９のいずれか１項に記載の演算増幅回路。
【請求項１１】
前記第１差動トランジスタ及び前記第２差動トランジスタは、Ｐチャネル型ＭＯＳトランジスタである
請求項１〜９のいずれか１項に記載の演算増幅回路。
【請求項１２】
前記第１差動トランジスタ及び前記第２差動トランジスタは、Ｎチャネル型ＭＯＳトランジスタであり、
前記差動増幅部は、さらに、第２差動対を形成する第３差動トランジスタ及び第４差動トランジスタを含み、
前記第３差動トランジスタ及び前記第４差動トランジスタは、Ｐチャネル型ＭＯＳトランジスタである
請求項１〜９のいずれか１項に記載の演算増幅回路。
【請求項１３】
差動増幅部を含む演算増幅回路であって、
前記差動増幅部は、
第１差動対を形成する第１差動トランジスタ及び第２差動トランジスタと、
前記第１差動対に電流を供給する電流源トランジスタとを含み、
前記演算増幅回路は、さらに、
前記第１差動トランジスタ及び前記第２差動トランジスタの少なくとも一方のソースと、前記電流源トランジスタのドレインとの間に接続された第１可変抵抗素子を備え、
前記第１可変抵抗素子は、
第１端子及び第２端子と、
前記第１端子にソース端子及びドレイン端子の一方が接続され、前記第２端子に前記ソース端子及び前記ドレイン端子の他方が接続されたトランジスタと、
前記トランジスタに複数の電圧値のうちいずれかの電圧値の電圧を供給することにより、前記トランジスタのオン抵抗を変更する電圧可変回路とを備える
演算増幅回路。
【請求項１４】
前記トランジスタは、一定の電圧がゲート端子に印加され、
前記電圧可変回路は、トランジスタの基板電圧を変更することにより、前記トランジスタのオン抵抗を変更する
請求項１３記載の演算増幅回路。
【請求項１５】
前記トランジスタは、一定の基板電圧が供給され、
前記電圧可変回路は、前記トランジスタのゲート電圧を変更することにより、前記トランジスタのオン抵抗を変更する
請求項１３記載の演算増幅回路。
【請求項１６】
画像データに応じた画像を表示する表示装置であって、
前記画像を表示する表示パネルと、
前記表示パネルを駆動する表示駆動装置とを備え、
前記表示パネルは、
行列状に配置された複数の発光画素と、
行毎又は列毎に設けられた複数のソースラインとを備え、
前記表示駆動装置は、
前記ソースライン毎に設けられ、対応する前記ソースラインに、前記画像データに応じた信号電圧を出力する、請求項１〜請求項１５のいずれか１項に記載の複数の演算増幅回路を備える
表示装置。
【請求項１７】
前記表示パネルは有機ＥＬパネルである
請求項１６記載の表示装置。
【請求項１８】
差動増幅部を含む演算増幅回路のオフセット電圧調整方法であって、
前記差動増幅部は、
第１差動対を形成する第１差動トランジスタ及び第２差動トランジスタと、
前記第１差動対に電流を供給する電流源トランジスタとを含み、
前記演算増幅回路は、さらに、
前記第１差動トランジスタ及び前記第２差動トランジスタの少なくとも一方のソースと、前記電流源トランジスタのドレインとの間に接続された第１可変抵抗素子を備え、
前記第１可変抵抗素子は、
第１端子及び第２端子と、
直列に接続された複数の第１抵抗素子とを備え、
前記オフセット電圧調整方法は、
前記演算増幅回路の入力電圧と出力電圧との電圧差を検出する工程と、
前記電圧差に基づいて、前記第１端子と前記第２端子との間に接続される前記直列に接続された複数の第１抵抗素子の段数を変更する工程とを含む
オフセット電圧調整方法。
【請求項１９】
差動増幅部を含む演算増幅回路のオフセット電圧調整方法であって、
前記差動増幅部は、
第１差動対を形成する第１差動トランジスタ及び第２差動トランジスタと、
前記第１差動対に電流を供給する電流源トランジスタとを含み、
前記演算増幅回路は、さらに、
前記第１差動トランジスタ及び前記第２差動トランジスタの少なくとも一方のソースと、前記電流源トランジスタのドレインとの間に接続された第１可変抵抗素子を備え、
前記第１可変抵抗素子は、
第１端子及び第２端子と、
前記第１端子にソース端子及びドレイン端子の一方が接続され、前記第２端子に前記ソース端子及び前記ドレイン端子の他方が接続されたトランジスタとを備え、
前記オフセット電圧調整方法は、
前記演算増幅回路の入力電圧と出力電圧との電圧差を検出する工程と、
前記電圧差に基づいて、前記トランジスタに複数の電圧値のうちいずれかの電圧値の電圧を供給することにより、前記トランジスタのオン抵抗を変更する工程とを含む
オフセット電圧調整方法。
【手続補正２】
【補正対象書類名】明細書
【補正対象項目名】発明の名称
【補正方法】変更
【補正の内容】
【発明の名称】演算増幅回路、表示装置及びオフセット電圧調整方法
【手続補正３】
【補正対象書類名】明細書
【補正対象項目名】００４０
【補正方法】変更
【補正の内容】
【００４０】
また、前記トランジスタは、一定の電圧がゲート端子に印加され、前記電圧可変回路は、トランジスタの基板電圧を変更することにより、前記トランジスタのオン抵抗を変更してもよい。
【手続補正４】
【補正対象書類名】明細書
【補正対象項目名】００４２
【補正方法】変更
【補正の内容】
【００４２】
また、前記トランジスタは、一定の基板電圧が供給され、前記電圧可変回路は、前記トランジスタのゲート電圧を変更することにより、前記トランジスタのオン抵抗を変更してもよい。
【手続補正５】
【補正対象書類名】明細書
【補正対象項目名】００４３
【補正方法】変更
【補正の内容】
【００４３】
この構成によれば、本発明に係る演算増幅回路は、トランジスタの基板電圧を変更することにより第１可変抵抗素子の抵抗値を変更できる。
【手続補正６】
【補正対象書類名】明細書
【補正対象項目名】０２５０
【補正方法】変更
【補正の内容】
【０２５０】
可変抵抗素子２１Ｂは、トランジスタ９２Ｂと、電圧可変回路９１Ｂとを備える。
トランジスタ９２Ｂは、可変抵抗素子２１Ｂの第１端子にソース端子及びドレイン端子の一方が接続され、可変抵抗素子２１Ｂの第２端子にソース端子及びドレイン端子の他方が接続される。また、トランジスタ９２Ｂは、一定のバイアス電圧が基板電圧として供給されている。
【手続補正７】
【補正対象書類名】明細書
【補正対象項目名】０２５６
【補正方法】変更
【補正の内容】
【０２５６】
電圧可変回路９１Ｃは、制御信号Ｖｓｅｔ［ｎ：１］に応じて、ｎ段階の電圧値のうちいずれかの電圧値の電圧をトランジスタ９２Ｃに供給することにより、トランジスタ９２Ｃのオン抵抗を変更する。具体的には、電圧可変回路９１Ｃは、トランジスタ９２Ｃの基板電圧をｎ段階で変更することにより、トランジスタ９２Ｃのオン抵抗を変更する。これにより、電圧可変回路９１Ｃは、可変抵抗素子２１Ｃの第１端子と第２端子との間の抵抗値（トランジスタ９２Ｃのオン抵抗）を変更する。